(57)【要約】【課題】ユーザ情報のデモグラフィー情報に基づいて、適切なセキュリティパラメータセットを提案する。【解決手段】セキュリティ設定提案サーバ２００は、複数のユーザ端末１０から、年齢等のデモグラフィー情報や技術習熟度から構成されるユーザ情報とともにセキュリティパラメータを収集し、統計情報をセキュリティセット統計データベース２５０に記憶させる。そして、他のユーザ端末１０からユーザ情報とともにセキュリティ設定の提案要求を受信すると、似通ったユーザのセキュリティパラメータの組み合わせであるセキュリティセットを抽出し、統計情報とともに推奨されるセキュリティセットを提案する。【選択図】図１
2014238675.tif 000002
【特許請求の範囲】
【請求項１】
一以上のユーザ端末と通信可能に接続され、セキュリティセット統計データベースを備えたセキュリティ設定提案サーバであって、
前記ユーザ端末から、少なくとも年齢を含むユーザ情報とともに、セキュリティセットの提案要求を受信する提案要求受信手段と、
前記提案要求とともに受信したユーザ情報を用いて、前記セキュリティセット統計データベースから、当該ユーザ情報と同一、又は所定の範囲で当該ユーザ情報と類似するユーザ情報に関連付けられているセキュリティセットを抽出するセキュリティセット抽出手段と、
前記抽出した一以上のセキュリティセットを提案セキュリティセットとして、前記提案要求を送信したユーザ端末に送信する提案セキュリティセット送信手段と、
を備えることを特徴とするセキュリティ設定提案サーバ。
【請求項２】
前記ユーザ端末から、利用中の一連のセキュリティ設定に関するパラメータの組み合わせであるセキュリティセットを受信するセキュリティセット受信手段と、
前記ユーザ端末から、前記受信したセキュリティセットを利用中であるユーザの、少なくとも年齢を含むユーザ情報を受信するユーザ情報受信手段と、
前記受信したセキュリティセットと、前記受信したユーザ情報とを、関連付けて前記セキュリティセット統計データベースに記憶させるセキュリティセット記憶手段と、
を備えることを特徴とする請求項１に記載のセキュリティ設定提案サーバ。
【請求項３】
前記ユーザ端末から受信する前記ユーザ情報に、当該ユーザ端末のユーザに対して実施された、所定の質問項目に対する回答を含めることを特徴とした、請求項１又は請求項２に記載のセキュリティ設定提案サーバ。
【請求項４】
請求項１乃至３のいずれか一項に記載のセキュリティ設定提案サーバと通信可能に接続されたユーザ端末であって、
前記セキュリティ設定提案サーバにユーザ情報を送信するユーザ情報送信手段と、
前記セキュリティ設定提案サーバに対して、前記送信したユーザ情報に基づくセキュリティセットの提案要求を送信する提案要求送信手段と、
前記セキュリティ設定提案サーバから、提案セキュリティセットを受信する提案セキュリティセット受信手段と、
前記受信した提案セキュリティセットを、セキュリティ設定として設定する提案セキュリティセット設定手段と、
を備えることを特徴とするユーザ端末。
【請求項５】
一以上のユーザ端末と通信可能に接続され、セキュリティセット統計データベースを備えたセキュリティ設定提案サーバが実行するセキュリティ設定提案方法であって、
前記ユーザ端末から、少なくとも年齢を含むユーザ情報とともに、セキュリティセットの提案要求を受信するステップと、
前記提案要求とともに受信したユーザ情報を用いて、前記セキュリティセット統計データベースから、当該ユーザ情報と同一、又は所定の範囲で当該ユーザ情報と類似するユーザ情報に関連付けられているセキュリティセットを抽出するステップと、
前記抽出した一以上のセキュリティセットを提案セキュリティセットとして、前記提案要求を送信したユーザ端末に送信するステップと、
を備えることを特徴とするセキュリティ設定提案方法。
【請求項６】
一以上のユーザ端末と通信可能に接続され、セキュリティセット統計データベースを備えたセキュリティ設定提案サーバに、
前記ユーザ端末から、少なくとも年齢を含むユーザ情報とともに、セキュリティセットの提案要求を受信するステップ、
前記提案要求とともに受信したユーザ情報を用いて、前記セキュリティセット統計データベースから、当該ユーザ情報と同一、又は所定の範囲で当該ユーザ情報と類似するユーザ情報に関連付けられているセキュリティセットを抽出するステップ、
前記抽出した一以上のセキュリティセットを提案セキュリティセットとして、前記提案要求を送信したユーザ端末に送信するステップ、
を実行させることを特徴とするセキュリティ設定提案サーバ用プログラム。
【発明の詳細な説明】
【技術分野】
【０００１】
本発明は、ユーザ情報に対して適切なセキュリティセットを提案するセキュリティ設定提案サーバ、ユーザ端末、セキュリティ設定提案方法、及び、セキュリティ設定提案サーバ用プログラムに関する。
【背景技術】
【０００２】
近年、公衆回線網に接続された携帯端末をＷｅｂサーバ等と接続することで、ユーザに様々なサービスが提供されている。特に、スマートフォン（高機能携帯電話）の登場により、従来、パソコンに対して行われていた高度なサービスを、携帯電話で行うことが可能になってきた。
【０００３】
しかしながら、ユーザ端末の普及に伴い、年齢的に未成熟だったり、インターネットに精通していなかったりするユーザが、個人で端末を所有する事例が増えてきている。そうしたユーザによるインターネットへの無制限なアクセスを許可した結果、有害なコンテンツが提供されてしまったり、詐欺や架空請求といった他のユーザとの間でトラブルが発生してしまったりすることがあった。
【０００４】
したがって、こうしたユーザ端末には、利用するユーザに応じて適切なセキュリティを設定することで、利便性を可能な限り損なわずに、危険を回避する必要がある。
【０００５】
このような課題に対して、協調フィルタリングを用いて、有害情報を自動的にフィルタリングする手法が開示されている。
【先行技術文献】
【特許文献】
【０００６】
【特許文献１】特開２００２−２２２１９３号公報
【発明の概要】
【発明が解決しようとする課題】
【０００７】
特許文献１において開示される手法では、ブラウザに取り込もうとするインターネット情報から文字情報を抽出し、入力文ベクトルＱを作成する。そしてあらかじめ登録してある学習情報ベクトル群３０中の学習情報ベクトル各々との類似度又は相関係数を算出し、類似度又は相関係数が高い学習情報ベクトル群を抽出する。そして抽出された学習情報ベクトル群中に含まれる単語のスコアを利用して拡張対象単語を選択し、元の入力文ベクトルに対する拡張入力文ベクトルＱｎｅｗ  を作成する。そしてこの拡張入力文ベクトルを用いて、取得しようとしているインターネット情報が不適切情報であるか否かを判断し、不適切情報であればその取込みを阻止する。
【０００８】
しかしながら、この手法は自動的で有効なフィルタリング機能を提供可能ではあるものの、学習情報ベクトル群が同一である限りフィルタリング結果が同一となるため、ユーザの属性に応じてフィルタリングの基準を変更することができない。また、本発明は文字情報に基づくフィルタリングに過ぎないため、ユーザ端末１０が備える電話やＧＰＳ機能、決済機能といった他の機能に有効なセキュリティを設定することもできないという課題がある。
【０００９】
本発明は、これらの課題に鑑み、ユーザ情報とともに収集した統計的なセキュリティパラメータの統計情報から、あるユーザに対して適切なセキュリティセットを提案するセキュリティ設定提案サーバ、ユーザ端末、セキュリティ設定提案方法、及び、セキュリティ設定提案サーバ用プログラムを提供する事を目的とする。
【課題を解決するための手段】
【００１０】
本発明では、以下のような解決手段を提供する。
【００１１】
第１の特徴に係る発明は、一以上のユーザ端末と通信可能に接続され、セキュリティセット統計データベースを備えたセキュリティ設定提案サーバであって、
前記ユーザ端末から、少なくとも年齢を含むユーザ情報とともに、セキュリティセットの提案要求を受信する提案要求受信手段と、
前記提案要求とともに受信したユーザ情報を用いて、前記セキュリティセット統計データベースから、当該ユーザ情報と同一、又は所定の範囲で当該ユーザ情報と類似するユーザ情報に関連付けられているセキュリティセットを抽出するセキュリティセット抽出手段と、
前記抽出した一以上のセキュリティセットを提案セキュリティセットとして、前記提案要求を送信したユーザ端末に送信する提案セキュリティセット送信手段と、
を備えることを特徴とするセキュリティ設定提案サーバを提供する。
【００１２】
第１の特徴に係る発明によれば、一以上のユーザ端末と通信可能に接続され、セキュリティセット統計データベースを備えたセキュリティ設定提案サーバは、前記ユーザ端末から、少なくとも年齢を含むユーザ情報とともに、セキュリティセットの提案要求を受信し、前記提案要求とともに受信したユーザ情報を用いて、前記セキュリティセット統計データベースから、当該ユーザ情報と同一、又は所定の範囲で当該ユーザ情報と類似するユーザ情報に関連付けられているセキュリティセットを抽出し、前記抽出した一以上のセキュリティセットを提案セキュリティセットとして、前記提案要求を送信したユーザ端末に送信する。
【００１３】
第１の特徴に係る発明は、セキュリティ設定提案サーバのカテゴリであるが、セキュリティ設定提案方法及び、セキュリティ設定提案サーバ用プログラムであってもカテゴリに応じた同様の作用、効果を奏する。
【００１４】
第２の特徴に係る発明は、前記ユーザ端末から、利用中の一連のセキュリティ設定に関するパラメータの組み合わせであるセキュリティセットを受信するセキュリティセット受信手段と、
前記ユーザ端末から、前記受信したセキュリティセットを利用中であるユーザの、少なくとも年齢を含むユーザ情報を受信するユーザ情報受信手段と、
前記受信したセキュリティセットと、前記受信したユーザ情報とを、関連付けて前記セキュリティセット統計データベースに記憶させるセキュリティセット記憶手段と、
を備えることを特徴とするセキュリティ第１の特徴に係る発明である設定提案サーバを提供する。
【００１５】
第２の特徴に係る発明によれば、第１の特徴に係る発明である設定提案サーバは、前記ユーザ端末から、利用中の一連のセキュリティ設定に関するパラメータの組み合わせであるセキュリティセットを受信し、前記ユーザ端末から、前記受信したセキュリティセットを利用中であるユーザの、少なくとも年齢を含むユーザ情報を受信し、前記受信したセキュリティセットと、前記受信したユーザ情報とを、関連付けて前記セキュリティセット統計データベースに記憶させる。
【００１６】
第３の特徴に係る発明は、前記ユーザ端末から受信する前記ユーザ情報に、当該ユーザ端末のユーザに対して実施された、所定の質問項目に対する回答を含めることを特徴とした、第１又は第２の特徴に係るセキュリティ設定提案サーバを提供する。
【００１７】
第３の特徴に係る発明によれば、第１又は第２の特徴に係るセキュリティ設定提案サーバは、前記ユーザ端末から受信する前記ユーザ情報に、当該ユーザ端末のユーザに対して実施された、所定の質問項目に対する回答を含める。
【００１８】
第４の特徴に係る発明は、第１から第３のいずれかの特徴に係るセキュリティ設定提案サーバと通信可能に接続されたユーザ端末であって、
前記セキュリティ設定提案サーバにユーザ情報を送信するユーザ情報送信手段と、
前記セキュリティ設定提案サーバに対して、前記送信したユーザ情報に基づくセキュリティセットの提案要求を送信する提案要求送信手段と、
前記セキュリティ設定提案サーバから、提案セキュリティセットを受信する提案セキュリティセット受信手段と、
前記受信した提案セキュリティセットを、セキュリティ設定として設定する提案セキュリティセット設定手段と、
を備えることを特徴とするユーザ端末を提供する。
【００１９】
第４の特徴に係る発明によれば、第１から第３のいずれかの特徴に係るセキュリティ設定提案サーバと通信可能に接続されたユーザ端末は、前記セキュリティ設定提案サーバにユーザ情報を送信し、前記セキュリティ設定提案サーバに対して、前記送信したユーザ情報に基づくセキュリティセットの提案要求を送信し、前記セキュリティ設定提案サーバから、提案セキュリティセットを受信し、前記受信した提案セキュリティセットを、セキュリティ設定として設定する。
【００２０】
第５の特徴に係る発明は、一以上のユーザ端末と通信可能に接続され、セキュリティセット統計データベースを備えたセキュリティ設定提案サーバが実行するセキュリティ設定提案方法であって、
前記ユーザ端末から、少なくとも年齢を含むユーザ情報とともに、セキュリティセットの提案要求を受信するステップと、
前記提案要求とともに受信したユーザ情報を用いて、前記セキュリティセット統計データベースから、当該ユーザ情報と同一、又は所定の範囲で当該ユーザ情報と類似するユーザ情報に関連付けられているセキュリティセットを抽出するステップと、
前記抽出した一以上のセキュリティセットを提案セキュリティセットとして、前記提案要求を送信したユーザ端末に送信するステップと、
を備えることを特徴とするセキュリティ設定提案方法を提供する。
【００２１】
第６の特徴に係る発明は、一以上のユーザ端末と通信可能に接続され、セキュリティセット統計データベースを備えたセキュリティ設定提案サーバに、
前記ユーザ端末から、少なくとも年齢を含むユーザ情報とともに、セキュリティセットの提案要求を受信するステップ、
前記提案要求とともに受信したユーザ情報を用いて、前記セキュリティセット統計データベースから、当該ユーザ情報と同一、又は所定の範囲で当該ユーザ情報と類似するユーザ情報に関連付けられているセキュリティセットを抽出するステップ、
前記抽出した一以上のセキュリティセットを提案セキュリティセットとして、前記提案要求を送信したユーザ端末に送信するステップ、
を実行させることを特徴とするセキュリティ設定提案サーバ用プログラムを提供する。
【発明の効果】
【００２２】
本発明によれば、ユーザ情報とともに収集した統計的なセキュリティパラメータの統計情報から、あるユーザに対して適切なセキュリティセットを提案するセキュリティ設定提案サーバ、ユーザ端末、セキュリティ設定提案方法、及び、セキュリティ設定提案サーバ用プログラムを提供することが可能となる。
【図面の簡単な説明】
【００２３】
【図１】図１は、本発明の好適な実施形態であるセキュリティ設定提案システム１の概要図である。
【図２】図２は、セキュリティ設定提案システム１の全体構成図である。
【図３】図３は、ユーザ端末１０、セキュリティ設定提案サーバ２００の機能ブロックと各機能の関係を示す図である。
【図４】図４は、ユーザ端末１０、セキュリティ設定提案サーバ２００が実行するセキュリティ設定提案処理のフローチャート図である。
【図５】図５は、セキュリティ設定の提案を受けたユーザ端末１０の画面の一例である。
【図６】図６は、セキュリティセット統計データベース２５０内のセキュリティセットテーブルの一例である。
【図７】図７は、セキュリティセット統計データベース２５０内のセキュリティセット統計テーブルの一例である。
【発明を実施するための形態】
【００２４】
以下、本発明を実施するための最良の形態について図を参照しながら説明する。なお、これはあくまでも一例であって、本発明の技術的範囲はこれに限られるものではない。
【００２５】
［セキュリティ設定提案システム１の概要］
図１は、本発明の好適な実施形態であるセキュリティ設定提案システム１の概要を説明するための図である。この図１に基づいて、セキュリティ設定提案システム１の概要を説明する。
【００２６】
セキュリティ設定提案システム１において、セキュリティ設定提案サーバ２００は、複数のユーザ端末１０と通信可能となっている。ここでは、今セキュリティ設定の提案を受ける端末をユーザ端末１０、それ以外のユーザ端末１０をユーザ端末１０ａ、ユーザ端末１０ｂ、ユーザ端末１０ｃとして区別する。
【００２７】
初めに、ユーザ端末１０ａ、ユーザ端末１０ｂ、ユーザ端末１０ｃは、利用中のセキュリティセットを、ユーザ情報とともにセキュリティ設定提案サーバ２００へ送信する（ステップＳ０１）。ここでセキュリティセットとは、セキュリティ設定として利用されるパラメータの一連の組み合わせであって、例えば、ユーザ端末１０のインターネット制限、電話制限、利用時間制限といった設定のパラメータの組み合わせである。これらのパラメータは、オン、オフの二値を取るフラグであってもよいし、具体的な値であってもよい。具体的な値とは、例えば閲覧を許可しないウェブサイトのドメインや、検索結果を表示させない検索単語や、利用時間制限に係る連続利用時間の数値が挙げられる。
【００２８】
次に、セキュリティ設定提案サーバ２００は、受信したセキュリティセットとユーザ情報とを関連付けて、記憶部に備えるセキュリティセット統計データベース２５０に記憶させる（ステップＳ０２）。セキュリティセット統計データベース２５０は、ユーザ情報ごとに利用中のセキュリティセットを統計データとして記憶させるデータベースである。
【００２９】
次に、今回セキュリティセットの提案を受けるユーザ端末１０は、ユーザ情報とともにセキュリティ設定提案サーバ２００に提案要求を送信する（ステップＳ０５）。ここで、ユーザ情報は少なくともユーザの年齢を含み、ユーザに適したセキュリティセットを提供する際に有意な統計を取れる変数として扱われる値であればよい。すなわち、個人名や電話番号といったユーザを特定可能な識別子ではなく、性別や年齢といったデモグラフィー情報を指す。
【００３０】
そのほか、ユーザ端末１０は、セキュリティセットにおいインターネット制限を有効化するかといったアンケート項目や、利用者のインターネットに関する理解度を計る設問といった所定の質問を行い、その結果を前記ユーザ情報に含めることで、ユーザの要望や理解度に応じたより適切なセキュリティセットの統計を取ることが可能となる。
【００３１】
セキュリティ設定提案サーバ２００は、提案要求を受信すると、同時に受信したユーザ情報を用いて、統計情報を抽出しする（ステップＳ０４）。そしてその結果から提案セキュリティセットを生成し、提案要求を送信したユーザ端末１０に送信する（ステップＳ０５）。
【００３２】
提案セキュリティセットとして最も単純なのは、図１に示すように複数のセキュリティセットの利用割合の統計情報を、円グラフとしてそのまま送信することである。ユーザは、グラフとセキュリティセットの詳細を見ながら、適切なセキュリティセットを選ぶことが可能となる。そのほか、初めに最も多いセキュリティセット一件のみを送り、ユーザ端末１０に設定させた後で、ユーザが個別にカスタマイズを行ったり、前記質問項目に対して回答した要望を反映させたりしてもよい。以上が、セキュリティ設定提案システム１の概要である。
【００３３】
［セキュリティ設定提案システムのシステム構成］
図２は、セキュリティ設定提案システム１の全体構成図である。セキュリティ設定提案システム１において、複数のユーザ端末１０、セキュリティ設定提案サーバ２００によって構成される。ユーザ端末１０とセキュリティ設定提案サーバ２００は、それぞれ公衆回線網を介して通信可能に接続されている。ユーザ端末１０同士は、相互に通信可能である必要はない。
【００３４】
ユーザ端末１０は、ユーザが利用する一般的な情報端末であってよく、後述する機能を備える情報機器や電化製品である。ユーザ端末１０は、例えば、携帯電話、スマートフォン、複合型プリンタ、テレビ、ルータ又はゲートウェイ等のネットワーク機器、コンピュータに加えて、冷蔵庫、洗濯機等の白物家電であってもよいし、電話機、ネットブック端末、スレート端末、電子書籍端末、電子辞書端末、携帯型音楽プレーヤ、携帯型コンテンツ再生・録画プレーヤ等の一般的な情報家電であってよい。
【００３５】
セキュリティ設定提案サーバ２００は、セキュリティセットの提案を行うサーバであって、記憶部にセキュリティセット統計データベース２５０を備え、後述する機能を備える情報機器や電化製品である。
【００３６】
［各機能の説明］
図３は、ユーザ端末１０、セキュリティ設定提案サーバ２００の機能ブロックと各機能の関係を示す図である。
【００３７】
ユーザ端末１０は、制御部１１として、ＣＰＵ（Ｃｅｎｔｒａｌ  Ｐｒｏｃｅｓｓｉｎｇ  Ｕｎｉｔ），ＲＡＭ（Ｒａｎｄｏｍ  Ａｃｃｅｓｓ  Ｍｅｍｏｒｙ），ＲＯＭ（Ｒｅａｄ  Ｏｎｌｙ  Ｍｅｍｏｒｙ）等を備え、通信部１２として、例えば、ＩＥＥＥ８０２．１１に準拠したＷｉＦｉ（Ｗｉｒｅｌｅｓｓ  Ｆｉｄｅｌｉｔｙ対応デバイス又は、第３世代移動通信システム等のＩＭＴ−２０００規格に準拠した無線デバイス等を備える（有線によるＬＡＮ接続であってもよい）。
【００３８】
さらに、ユーザ端末１０は、入出力部１３として、制御部で制御したデータや画像、音声を出力表示する出力部を備え、かつ、ユーザからの入力を受付けるタッチパネルやキーボード、マウス等の入力部を備える。
【００３９】
ユーザ端末１０において、制御部１１が所定のプログラムを読み込むことで、通信部１２と協働して、ユーザ情報送信モジュール１４、提案要求送信モジュール１５、提案セキュリティセット受信モジュール１６、提案セキュリティセット設定モジュール１７を実現する。また、ユーザ端末１０において、制御部１１が所定のプログラムを読み込むことで、入出力部１３と協働して、質問実施モジュール１８を実現する。
【００４０】
セキュリティ設定提案サーバ２００は、同様に、制御部２０１として、ＣＰＵ，ＲＡＭ，ＲＯＭ等を備え、通信部２０２として、例えば、ＩＥＥＥ８０２．１１に準拠したＷｉＦｉ対応デバイスを備える（有線であってもよい）。加えて、セキュリティ設定提案サーバ２００は、記憶部２０３として、ハードディスクや半導体メモリによる、データのストレージ部を備える。記憶部２０３は、セキュリティセット統計データベース２５０を、記憶部に備える。
【００４１】
セキュリティ設定提案サーバ２００の制御部２０１が所定のプログラムを読み込むことで、通信部２０２と協働して、セキュリティセット受信モジュール２０４、ユーザ情報受信モジュール２０５、提案要求受信モジュール２０６、提案セキュリティセット送信モジュール２０７を実現する。また、セキュリティ設定提案サーバ２００の制御部２０１が所定のプログラムを読み込むことで、記憶部２０３と協働して、セキュリティセット記憶モジュール２０８、セキュリティセット抽出モジュール２０９を実現する。
【００４２】
［セキュリティ設定提案処理］
図３は、ユーザ端末１０、セキュリティ設定提案サーバ２００が実行するセキュリティ設定提案処理のフローチャートである。上述した各装置のモジュールが行う処理について、本処理にて併せて説明する。
【００４３】
初めに、セキュリティ設定の提案を受けるに先駆けて、ユーザ端末１０の質問実施モジュール１８は、所定の質問項目に基づいて、ユーザに質問を実施する（ステップＳ１１）。この質問は、適切なセキュリティ設定の提案を受けるためのもので、ユーザのデモグラフィー情報を取得したり、セキュリティ設定に関する要望を諮ったり、インターネットや端末に関するユーザの習熟度を計ったりするために行う。具体的な質問として、インターネット制限の有無の希望や、インターネットの利用歴を問う事が考えられる。
【００４４】
次に、ユーザ端末１０のユーザ情報送信モジュール１４は、質問に対する回答と、ユーザ自身の情報をあわせてユーザ情報として、セキュリティ設定提案サーバ２００へ送信し（ステップＳ１２）、セキュリティ設定提案サーバ２００のユーザ情報受信モジュール２０５がこれを受信する（ステップＳ１３）。ここで、質問項目以外のユーザ情報としては、主としてデモグラフィー情報、すなわち人口統計学的情報である。具体的には、性別、年齢、住んでいる地域、所得、職業、学歴、家族構成等が挙げられ、ユーザ端末１０の登録情報から読み込んでもよいし、前記の様な質問によって情報を取得しても良い。
【００４５】
次に、ユーザ端末１０の提案要求送信モジュール１５は、セキュリティ設定の提案要求を送信し（ステップＳ１４）、セキュリティ設定提案サーバ２００の提案要求受信モジュール２０６はこれを受信する（ステップＳ１５）。
【００４６】
そして、セキュリティ設定提案サーバ２００のセキュリティセット抽出モジュール２０９は、提案要求とともに受信したユーザ情報を用いて、セキュリティセット統計データベース２５０からセキュリティセットを抽出する（ステップＳ１６）。セキュリティセット統計データベース２５０には、セキュリティセットとユーザ情報とが関連付けて記憶されているため、ユーザ情報が同一又は類似なセキュリティセットを抽出し、それぞれ数を数える事で、セキュリティセットの統計データを作成可能である。
【００４７】
図６は、セキュリティセット統計データベース２５０内のセキュリティセットテーブルの一例である。セキュリティセットテーブルでは、セキュリティ設定を構成するパラメータの組み合わせが一つのセキュリティセットとして、セキュリティセット名とともに記憶されている。例えば図６によれば、「セキュリティセットＡ」は、利用時間制限、インターネット制限、メール制限、及びＧＰＳ追跡が有効になっており、電話制限は無効になっている。これらのセキュリティセットテーブルは、セキュリティ設定を行う種々のセキュリティソフトごとに必ずしも別れている必要はなく、上位概念化できる要素として記憶され、共有されていてよい。
【００４８】
また、図７は、セキュリティセット統計データベース２５０内のセキュリティセット統計テーブルの一例である。セキュリティセット統計テーブルでは、セキュリティセットと利用中のユーザ情報とが関連付けられて記憶されている。この図に示される範囲において、ユーザの年齢が「１２」であるユーザのセキュリティセットを抽出した場合、「セキュリティセットＡ」が三件、「セキュリティセットＣ」が一件抽出される。
【００４９】
また、抽出の条件はユーザ情報に含まれる質問項目の内容でも指定可能であるし、値に幅を持たせ、類似の情報を増やしてもよい。例えば、受信したユーザの年齢からプラスマイナス三歳の範囲を類似として抽出したり、ある年齢においては大きな影響を与えない質問項目Ａを無視して抽出したり、といったことも可能である。
【００５０】
その後、提案セキュリティセット送信モジュール２０７が、抽出したセキュリティセットをユーザ端末１０に提案セキュリティセットとして送信する（ステップＳ１７）。提案セキュリティセットは、抽出したセキュリティセット全てであってもよいし、抽出したセキュリティセットから、加工や選別がなされていてもよい。例えば、インターネット制限を希望するのに無効になっているといった、質問項目の回答結果に明らかに矛盾するセキュリティセットを除外することが可能である。また、提案セキュリティセットは複数のセキュリティセットを含み、ユーザにその中から選択をさせる形式であってよい。
【００５１】
ユーザ端末１０の提案セキュリティセット受信モジュール１６が提案セキュリティセットを受信すると（ステップＳ１８）、提案セキュリティセット設定モジュール１７が、その提案セキュリティセットをユーザ端末１０のセキュリティ設定として設定する（ステップＳ１９）。
【００５２】
図５は、提案セキュリティセットを受信したユーザ端末１０の画面の一例である。デモグラフィー情報５１のように、統計情報の抽出条件が示され、その下に統計情報５２が示される。設定ボタン５３を押す事で、対応するセキュリティセットをユーザ端末１０に設定することが可能である。また、円グラフの各項目をタッチすることで、各項目の詳細が示されてよいし、そこからセキュリティセットに任意の変更を加えたうえで設定可能であってよい。
【００５３】
次に、ユーザ端末１０は設定したセキュリティセットの内容をセキュリティ設定提案サーバに送信する（ステップＳ２０）。セキュリティ設定提案サーバ２００のセキュリティセット受信モジュール２０４は、これを受信する（ステップＳ２１）。
【００５４】
最後に、セキュリティ設定提案サーバ２００のセキュリティセット記憶モジュール２０８は、受信したセキュリティセットを、ステップＳ１３で受信したユーザ情報と関連付けて、セキュリティセット統計データベース２５０に記憶する（ステップＳ２１）。こうすることで、次回の提案要求の際に利用可能な統計情報が増加する。
【００５５】
上述した手段、機能は、コンピュータ（ＣＰＵ，情報処理装置，各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置または外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００５６】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００５７】
１  セキュリティ設定提案システム、３  公衆回線網、１０  ユーザ端末、２００  ネセキュリティ設定提案サーバ、２５０  セキュリティセット統計データベース
【図１】
2014238675.tif 000003
【図２】
2014238675.tif 000004
【図３】
2014238675.tif 000005
【図４】
2014238675.tif 000006
【図５】
2014238675.tif 000007
【図６】
2014238675.tif 000008
【図７】
2014238675.tif 000009